(57)【要約】【課題】パック方式が異なる同一の充電池を同一ケースの収納可能にすることにより、ユーザによる電池交換を実現し、これらにかかるコストを削減すること。【解決手段】電子機器本体に電力を供給する充電池を収納する充電池収納ケースにおいて、第１の充電池と、電子機器本体側の電池収納ケースの蓋が一体で形成され記第１の充電池に対してパック形態が異なる第２の充電池と、のいずれかを収納するケース本体１ａと、第１の充電池および第２の充電池の端子に接続する接続端子２ａと、を備えた。【選択図】        図１
2005203270.tif 000002
【特許請求の範囲】
【請求項１】
電子機器本体に電力を供給する充電池を収納する充電池収納ケースにおいて、
第１の充電池と、前記電子機器本体側の電池収納ケースの蓋が一体で形成される前記第１の充電池に対してパック形態が異なる第２の充電池と、のいずれかを収納するケース本体と、
前記第１の充電池および前記第２の充電池の端子に接続する電池接続端子と、
を備えたことを特徴とする充電池収納ケース。
【請求項２】
前記ケース本体は、前記第１の充電池および前記第２の充電池と隣接する部分に通気性を有する防水シートが設けられていることを特徴とする請求項１に記載の充電池収納ケース。
【請求項３】
前記ケース本体は、前記蓋が嵌合する部分に溝形状を有し、前記第１の充電池を収納したのち取付ける蓋および前記第２の充電池の蓋は、前記溝形状に嵌合する形状を有することを特徴とする請求項１に記載の充電池収納ケース。
【請求項４】
前記溝形状は、ネジ形状であることを特徴とする請求項３に記載の充電池収納ケース。
【請求項５】
頭皮などを洗浄する場合に用いられ、タンクに貯水された洗浄用水または外部より導水された洗浄用水に所定の圧力および脈動を加え、ノズルヘッドからシャワー状に吐き出す制御系に電力を供給する電源部を有する頭皮洗浄器において、
前記電源部は、前記請求項１に記載の充電池収納ケースを備えたことを特徴とする頭皮洗浄器。
【発明の詳細な説明】
【技術分野】
【０００１】
本発明は、充電池収納ケースおよび頭皮洗浄器に関するものである。
【背景技術】
【０００２】
従来、ディスクプレーヤなどのポータブル機器において、個々の機種専用に作られた充電池（二次電池）を他の機種で両方とも使用することができるように、１つのケース本体でサイズの異なる複数の電池をそれぞれ収納可能な電池ケースが開示されている（たとえば、特許文献１参照）。また、２種類の電池をアダプタなしでワンタッチで切り替える携帯電話などを対象とした電池ケースが開示されている（たとえば、特許文献２参照）。さらに電子機器本体へ電池ケースを着脱する際や保管する際、誤接触をなくし、かつ着脱操作を短時間で可能とする電子機器の電池ケース収納構造が開示されている（たとえば、特許文献３参照）。
【０００３】
【特許文献１】特開平８−１５３５０２号公報
【特許文献２】特開平９−２８９００４号公報
【特許文献３】特開２０００−３４０９６０号公報
【発明の開示】
【発明が解決しようとする課題】
【０００４】
しかしながら、上記に示されるような従来の技術にあっては、たとえば充電池と乾電池のいずれかの電池が装着可能に工夫されているものの、電池の種類は全く同じで、そのパック方法のみが異なる電池を対象としたケース構造ではなかった。すなわち、防水・防滴を必要とする電子機器などでは、ユーザは、充電池の電池交換時期がきたときに、工場での組み立て時と同じ電池交換をすることになるため、交換作業が煩わしいものとなっていた。このため、メーカ側あるいは販売拠点での電池交換によって対応する必要があった。このように、ユーザサイドでの電池交換性が困難であるために、本体を販売（サービス）拠点に送り返す際にかかる輸送費などのコストがかさむという問題点があった。
【０００５】
また、防水・防滴が必要な電子機器の場合、ニッケル水素電池を使用して水素ガスが発生すると、その密閉性を必要とすることから、発生した水素ガスを逃がす構造ではないため、ニッケル水素電池を使用することができないという問題点があった。
【０００６】
本発明は、上記に鑑みてなされたものであって、パック方式が異なる同一の充電池を同一ケースの収納可能にすることにより、ユーザによる電池交換を実現し、これらにかかるコストを削減することを第１の目的とする。
【０００７】
また、水素ガスを逃がす電池ケースの構造とすることにより、防水・防滴が要求される電子機器においてニッケル水素電池を使用可能にすることを第２の目的とする。
【課題を解決するための手段】
【０００８】
上述した課題を解決し、目的を達成するために、請求項１にかかる発明は、電子機器本体に電力を供給する充電池を収納する充電池収納ケースにおいて、第１の充電池と、前記電子機器本体側の電池収納ケースの蓋が一体で形成される前記第１の充電池に対してパック形態が異なる第２の充電池と、のいずれかを収納するケース本体と、前記第１の充電池および前記第２の充電池の端子に接続する電池接続端子と、を備えたことを特徴とする。
【０００９】
この請求項１の発明によれば、たとえば単部品の第１の充電池あるいは第１の充電池とはパック方式が異なり、ユーザ用にサブアッセンブリされた第２の充電池をケース本体に本体側の接続端子に電池の接続端子を接続して収納した後、蓋を固定することにより、工場における単品組立ておよびユーザによるサブ組立て品による電池交換が可能になる。
【００１０】
また、請求項２にかかる発明は、前記ケース本体は、前記第１の充電池および前記第２の充電池と隣接する部分に通気性を有する防水シートが設けられていることを特徴とする。
【００１１】
この請求項２の発明によれば、請求項１において、ケース本体に、充電池と隣接する部分に通気性を有する防水シートを設けることにより、ニッケル水素電池を使用して万が一水素が発生してもそのガスを逃がすことで充満することがなくなる。
【００１２】
また、請求項３にかかる発明は、前記ケース本体は、前記蓋が嵌合する部分に溝形状を有し、前記第１の充電池を収納したのち取付ける蓋および前記第２の充電池の蓋は、前記溝形状に嵌合する形状を有することを特徴とする。
【００１３】
この請求項３の発明によれば、請求項１において、第１の充電池を収納したのち取付ける蓋および第２の充電池の蓋がケース本体と嵌合するように構成させることにより、固定ネジなどの締結部品やドライバなどの工具を使わずに電池交換の作業をワンタッチで行なうことが可能になる。
【００１４】
また、請求項４にかかる発明は、前記溝形状は、ネジ形状であることを特徴とする。
【００１５】
この請求項４の発明によれば、請求項３において、第１の充電池を収納したのち取付ける蓋および第２の充電池の蓋がケース本体と嵌合するようにネジによる形状に構成させることにより、固定ネジなどの締結部品やドライバなどの工具を使わずに、蓋部分を回転させるだけで螺合による固定が実現し、電池交換の作業を行なうことが可能になる。
【００１６】
また、請求項５にかかる発明は、頭皮などを洗浄する場合に用いられ、タンクに貯水された洗浄用水または外部より導水された洗浄用水に所定の圧力および脈動を加え、ノズルヘッドからシャワー状に吐き出す制御系に電力を供給する電源部を有する頭皮洗浄器において、前記電源部は、前記請求項１に記載の充電池収納ケースを備えたことを特徴とする。
【００１７】
この請求項５の発明によれば、ポータブルで防水・防滴性を必要とする頭皮洗浄器において、その電源部を前述の請求項１に記載の充電池収納ケースとすることで、たとえば単部品の第１の充電池での工場組立てと、第１の充電池とはパック方式が異なり、サブアッセンブリされた第２の充電池のユーザ交換とを、メーカ側とユーザ側とで選択的に行なうことが可能となり、本体を販売拠点やサービス区に送って電池交換する必要がなくなる。
【発明の効果】
【００１８】
本発明（請求項１）にかかる充電池収納ケースは、たとえば単部品の第１の充電池あるいは第１の充電池とはパック方式が異なり、ユーザ用にサブアッセンブリされた第２の充電池をケース本体に本体側の接続端子に電池の接続端子を接続して収納した後、蓋を固定することにより、工場における単品組立ておよびユーザによるサブ組立て品による電池交換が可能になるため、電池交換時にユーザとメーカ側との輸送のやり取りが第２の電池の取り寄せのみで済むため、電池交換のためのコストを低減することができ、かつメーカ組立てとユーザ交換が実現するという効果を奏する。
【００１９】
また、本発明（請求項２）にかかる充電池収納ケースは、請求項１において、ケース本体に、充電池と隣接する部分に通気性を有する防水シートを設けることにより、ニッケル水素電池を使用して万が一水素が発生してもそのガスを逃がすことで充満することがなくなるため、ニッケル水素電池を防水・防滴性を有する機器に使用することができるという効果を奏する。
【００２０】
また、本発明（請求項３）にかかる充電池収納ケースは、請求項１において、第１の充電池を収納したのち取付ける蓋および第２の充電池の蓋がケース本体と嵌合するように構成させることにより、固定ネジなどの締結部品やドライバなどの工具を使わずに電池交換の作業をワンタッチで行なうことが可能になるため、ユーザが簡単に電池交換を行なうことができるという効果を奏する。
【００２１】
また、本発明（請求項４）にかかる充電池収納ケースは、請求項３において、第１の充電池を収納したのち取付ける蓋および第２の充電池の蓋がケース本体と嵌合するようにネジによる形状に構成させることにより、固定ネジなどの締結部品やドライバなどの工具を使わずに、蓋部分を回転させるだけで螺合による固定が実現し、電池交換の作業を行なうことが可能になるため、ユーザが簡単に電池交換を行なうことができるという効果を奏する。
【００２２】
また、本発明（請求項５）にかかる頭皮洗浄器は、ポータブルで防水・防滴性を必要とする頭皮洗浄器において、その電源部を前述の請求項１に記載の充電池収納ケースとすることで、たとえば単部品の第１の充電池での工場組立てと、第１の充電池とはパック方式が異なり、サブアッセンブリされた第２の充電池のユーザ交換とを、メーカ側とユーザ側とで選択的に行なうことが可能となり、本体を販売拠点やサービス区に送って電池交換する必要がなくなるため、電池交換にかかる利便性、経済性が向上するという効果を奏する。
【発明を実施するための最良の形態】
【００２３】
以下に添付図面を参照して、この発明にかかる充電池収納ケースおよび頭皮洗浄器の最良な実施の形態を詳細に説明する。
【００２４】
本発明の充電池収納ケースは、防水・防滴性が要求される電子機器（たとえば頭皮洗浄器など）に使用され、パック形態が異なる第１の充電池と第２の充電池とを任意に選択し、ケース本体に収納可能にすると共に、ケース本体に第１の充電池と第２の充電池のいずれでも接続可能な共通の電池接続用端子を設けることにより、電池交換における利便性、経済性、安全性を向上させるものである。以下、具体的に説明する。
【００２５】
（第１の実施の形態）
図１は、本発明の第１の実施の形態にかかる充電池収納ケースの断面構成を示す説明図である。この充電池収納ケース１ａは、電子機器に接続するための本体側接続端子（コネクタ）が外側に接続されているハーネス２、充電池と接続される接続端子（コネクタ）２ａ、充電池がニッケル水素電池の場合に発生した水素ガスを逃がすための通気性防水シート３、充電池のがたつきを抑えるためのスポンジ（多孔質性ゴム）状のクッション材４、後述する充電池を収納する電池室５が設けられている。ハーネス２は充電池収納ケース１ａに対してポッティング（封止剤）により固定されている。
【００２６】
なお、これら部品を形成する材質は、電気用品取締法などの安全規格に適合しているものを用いるのが望ましい。
【００２７】
図２、図３は、図１の充電池収納ケース１ａに収納される充電池および付属品の構成を示す説明図である。これらに図示する充電池はパッキング方式が異なるもので、図１に示す電池室５に収納されるように構成されている。
【００２８】
図２は組電池・付属品による第１の充電池であり、符号６は組電池、符号７は上下のがたつきを抑制するためのクッション材、符号８は防水用のゴムパッキン、符号９は電池および付属品を電池室５に収納した状態で密閉して固定するフタ、符号１０はフタ９をケース本体１ａに取付けるための締結用ネジ、符号１４ａは接続端子２ａと接続する接続端子（コネクタ）である。
【００２９】
図３は組電池・付属品をケースにサブ組み立てした第２の充電池であり、符号１１ａは組電池６を収納するケース、符号１２は通気性防水シート、符号１４ｂは接続端子２ａと接続する接続端子（コネクタ）である。すなわち、図３の充電池は電池室５の中に水などが浸入しないように、ゴムパッキン８を入れた上でフタ９と一体になったケース１１ａに入っている。
【００３０】
つぎに、以上のように構成された充電池収納ケース１ａに図２および図３の充電池を収納して組み立てる手順などについて説明する。
【００３１】
図２のように構成された第１の充電池は、まず、ケース本体１ａの電池室５に組電池６を入れ、このとき電池側の接続端子１４ａとケース側の接続端子２ａとを接続する。電池室５に組電池６をセットした後、クッション材８、ゴムパッキン９を入れ、フタ９を介して締結用ネジ１０によってケース本体１ａに固定する。この組立て後の充電池収納ケースの状態を図４に示す。
【００３２】
他方、図３のように構成された第２の充電池は、図３に示すようにすでにサブ組み立てされている構成であるため、電池側の接続端子１４ｂとケース側の接続端子２ａとを接続してケース本体１ａの電池室５にセットし、フタ９を介して締結用ネジ１０によってケース本体１ａに固定する。この組立て後の充電池収納ケースの状態を図５に示す。
【００３３】
したがって、メーカ組立て用電池（たとえば、上記第１の充電池）とユーザ交換用電池（たとえば、上記第２の充電池）の２種類の充電池を用意し、そのいずれの充電池も、機器本体への接続端子を共通にし、いずれも選択的に本体の接続端子につなげるように充電池収納ケース１ａを構成することにより、ユーザによる電池交換を簡単に行なうことができる。特に、第２の充電池は一体的にサブ組み立てされているので、ユーザによっても簡単にセットすることができる。
【００３４】
また、充電池収納ケース１ａに通気性防水シート３、ケース１１ａに通気性防水シート１２を設けることにより、充電池がニッケル水素電池であっても、発生したガスを外部に逃がすことができ、万が一水素が発生しても充満することがないので、安全性も確保される。また、フタ９あるいはフタ９と一体となったケースを、直接本体にネジ１０によって固定することにより、ユーザは充電池をセットし固定することを比較的簡単に行なうことができる。
【００３５】
すなわち、第２の充電池はフタと一体でパックされているので、部品を紛失するおそれも少なく、充電池の交換をユーザサイドで簡単に確実に行なうことができる。これによって、ユーザは、電池交換のたびにメーカ側に本体を送り返すという手間がいらなくなり、その間、ずっと装置を使用することができなくて困るといった事態も回避される。また、充電池パックを取り寄せるだけで、都合のよいときに電池交換ができるようになる。さらに、第１の充電池と第２の充電池は、接続端子の形状が同じであるため、見ただけで本体への接続方法がわかり、容易に電池交換が行なえる。また、本体を送ったり送り返したりする際にかかる輸送費を削減することができ、充電池パックを送る輸送費のみが必要になる。また、電池パックと別々の部品を選択的に取付け可能であるため、メーカ側では、組み立て時点では、高価な電池パックではなく、従来通り、子部品を組み立てることによってコストダウンを図ることができる。
【００３６】
（第２の実施の形態）
この第２の実施の形態は、前述した第１の実施の形態における充電池収納ケースに対し、フタの形状を、ケースに凹凸によるパッチン止めあるいはフタを螺合するように構成させ、締結用ネジ１０を不要にした点が異なる。以下、同一機能を有する部分は同じ符号を付し、重複する部分を含めて説明する。
【００３７】
図６は、本発明の第２の実施の形態にかかる充電池収納ケースの断面構成を示す説明図である。この充電池収納ケース１ｂは、電子機器に接続するための本体側接続端子（コネクタ）が外側に接続されているハーネス２、充電池と接続される接続端子（コネクタ）２ａ、充電池がニッケル水素電池の場合に発生した水素ガスを外部に逃がすための通気性防水シート３、充電池のがたつきを抑えるためのスポンジ（多孔質性ゴム）状のクッション材４、後述する充電池を収納する電池室５、フタのネジ部に螺合するようなネジ受け部１ｃが設けられている。ハーネス２は充電池収納ケース１ａに対してポッティング（封止剤）により固定されている。また、電池室５の下部にはフタが螺合して固定するようなネジ形状（雌ネジ）１ｃが設けられている。
【００３８】
図７、図８は、図６の充電池収納ケース１ｂに収納される充電池および付属品の構成を示す説明図である。前述と同様に、これらに図示する充電池はパック方式が異なるもので、図６に示す電池室５に収納されるように構成されている。
【００３９】
図７は組電池・付属品による第１の充電池であり、符号６は組電池、符号７は上下のがたつきを抑制するためのクッション材、符号８は防水用のゴムパッキン、符号１３は電池および付属品を電池室５に収納した状態で密閉し、固定するためのフタ、符号１４ａは本体側の接続端子２ａと接続する接続端子（コネクタ）、符号９ａはフタ、符号９ｂはネジ形状（雄ネジ）である。
【００４０】
図８は組電池・付属品をケースにサブ組立てした第２の充電池であり、符号１１ａは組電池６を収納するケース、符号１２は通気性防水シート、符号１４ｂはケース側の接続端子２ａと接続する接続端子（コネクタ）である。すなわち、図６の充電池は電池室５の中に水などが浸入しないように、ゴムパッキン８を入れた上でフタ９と一体になったケース１１ａに入っている。また、フタ１３の電池室側の縁にはネジ形状（雄ネジ）１１ｃが設けられている。
【００４１】
つぎに、以上のように構成された充電池収納ケース１ｂに図７および図８の充電池を収納して組み立てる手順などについて説明する。
【００４２】
図７のように構成された第１の充電池は、まず、ケース本体１ａの電池室５に組電池６を入れ、このとき電池側の接続端子１４ａとケース側の接続端子２ａとを接続する。電池室５に組電池６をセットした後、クッション材８、ゴムパッキン９を入れ、フタ９ａを、ネジ形状１ｃと９ｃとを合わせ、へこみ部分１３に指をかけながら回転し、そのネジ形状により嵌め合わせてケース本体１ｂに固定する。この組立て後の充電池収納ケースの状態を図９に示す。
【００４３】
他方、図８のように構成された第２の充電池は、図示するようにすでにサブ組立てされている構成であるため、電池側の接続端子１４ｂとケース側の接続端子２ａとを接続してケース本体１１ｂの電池室５にセットし、ネジ形状１ｃと１１ｃとを合わせ、へこみ部分１３に指をかけながらながら回転し、そのネジ形状により嵌め合わせてケース本体１ｂに固定する。この組立て後の充電池収納ケースの状態を図１０に示す。
【００４４】
したがって、メーカ組立て用電池（たとえば、上記第１の充電池）とユーザ交換用電池（たとえば、上記第２の充電池）の２種類の充電池を用意し、そのいずれの充電池も、機器本体への接続端子を共通にし、いずれも選択的に本体の充電池接続端子につなげるように充電池収納ケース１ｂを構成とし、かつケースとフタとを螺合結合することにより、ユーザは電池交換のための工具を使用することなく電池交換を簡単に行なうことができる。
【００４５】
また、充電池収納ケース１ｂに通気性防水シート３、ケース１１ａに通気性防水シート１２を設けることにより、充電池がニッケル水素電池であっても、発生したガスを外部に逃がすことができ、万が一水素が発生しても充満することがないので、安全性も確保される。また、フタ９あるいはフタ９と一体となったケースを、直接本体にネジ１０によって固定することにより、ユーザは簡単に充電池をセットし固定することができる。
【００４６】
（第３の実施の形態）
つぎに、前述した本発明による充電池収納ケースを備えた頭皮洗浄器の構成および動作について説明する。図１１は、本発明の実施の形態にかかる頭皮洗浄器１００の外観図を示すものである。また、図１２は、図１１における頭皮洗浄器１００内部の概略構成を示すブロック図である。
【００４７】
これらの図に示すように、この頭皮洗浄器１００は、洗浄用水を貯水するタンク１０１と、タンク１０１から洗浄用水を取り込んで加圧すると共に脈動を与えて脈動ジェット水流として送水するポンプ部１０２と、ポンプ部１０２から送出された洗浄用水を導水する配管１０３と、配管１０３で導水された洗浄用水を導水するフレキシブルチューブ１０４と、フレキシブルチューブ１０４で導水された洗浄用水を吐出するノズルヘッド１０５と、ポンプ部１０２を駆動して洗浄用水の吐出制御を行なう制御部１０６と、を備えている。特に、この頭皮洗浄器１００は前述した第１の実施の形態あるいは第２の実施の形態による充電池収納ケースを備え、第１の充電池（メーカ側電池）と第２の充電池（ユーザ取り寄せ電池）とを任意に選んで、共通のケースに収納し、その充電池によって制御系などに電力が供給されるように構成されている。
【００４８】
なお、図１２において、符号１０７はタンク１０１とポンプ部１０２との間の流路である移送部を示し、符号１１０は装置全体へ電力を供給する充電可能なバッテリであり、前述した実施の形態に示した組電池６に該当する。また、フレキシブルチューブ１０４との結合部１０３ａを有している。フレキシブルチューブ１０４は、配管との結合部１０４ａを有している。
【００４９】
配管１０３は、図１２に示すように、フレキシブルチューブ１０４との結合部１０３ａを有している。フレキシブルチューブ１０４は、配管１０３との結合部１０４ａを有している。また、ノズルヘッド１０５の取水口側に結合部１０５ａを設け、この結合部１０５ａにフレキシブルチューブ１０４の先端に設けられた結合部１０４ｂとを合わせることにより、ワンタッチで嵌合するように構成されている。このようにノズルヘッド１０５を着脱可能な構成とすることで、多種のノズルヘッドを使用する場合や、新品のノズルヘッドに交換するなど使用状況に適合したノズルヘッドを、ユーザが洗浄状況に合わせて迅速に交換して使用することができる。
【００５０】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。この電源が投入されると、制御部１０６は、バッテリ１１０からポンプ部１０２へ電源を供給し、ポンプ部１０２を駆動する。ポンプ部１０２は、タンク１０１から給水された洗浄用水を所定の圧力で加圧し、フレキシブルチューブ１０４を経由させてノズルヘッド１０５へ洗浄用水を送水する。ノズルヘッド１０５からは、洗浄用水がシャワー状に吐出され、ユーザはこのシャワーを頭皮などの洗浄部位にあてて洗浄を行なう。
【００５１】
本実施の形態にかかる頭皮洗浄機１００では、第１の実施の形態の充電池収納ケースまたは第２の実施の形態の充電池収納ケースを備えているので、第１の充電池（メーカ側電池）と第２の充電池（ユーザ取り寄せ電池）とを任意に選択可能となり、本体を販売拠点やサービス区に送って電池交換する必要がなくなり、電池交換にかかる利便性、経済性が向上する。
【産業上の利用可能性】
【００５２】
以上のように、本発明にかかる充電池収納ケースおよび頭皮洗浄器は、電源となる充電池を収納する充電池収納ケースとしてジェットバス、電気シェーバ、防滴ラジオ、防滴テレビなど防水・防滴を必要とする家電製品、充電式の頭皮洗浄器に有用であり、特に、パック方式が異なる複数の充電池をケース内に収納して使用する充電池収納ケースを有する電子機器に適している。
【図面の簡単な説明】
【００５３】
【図１】本発明の第１の実施の形態にかかる充電池収納ケースの構成を示す断面図である。
【図２】本発明の第１の実施の形態にかかる第１の充電池およびその付属品の構成を示す説明図である。
【図３】本発明の第１の実施の形態にかかる第２の充電池およびその付属品の構成を示す説明図である。
【図４】図１の充電池収納ケースに図２の第１の充電池をセットした場合を示す説明図である。
【図５】図１の充電池収納ケースに図３の第２の充電池をセットした場合を示す説明図である。
【図６】本発明の第２の実施の形態にかかる充電池収納ケースの構成を示す断面図である。
【図７】本発明の第２の実施の形態にかかる第１の充電池およびその付属品の構成を示す説明図である。
【図８】本発明の第２の実施の形態にかかる第２の充電池およびその付属品の構成を示す説明図である。
【図９】図６の充電池収納ケースに図７の第１の充電池をセットした場合を示す説明図である。
【図１０】図６の充電池収納ケースに図８の第２の充電池をセットした場合を示す説明図である。
【図１１】本発明の第３の実施の形態にかかる頭皮洗浄器の外観構成を示す説明図である。
【図１２】図１１の頭皮洗浄器の制御系などの構成を示すブロック図である。
【符号の説明】
【００５４】
１ａ，１ｂ  本体ケース
２  ハーネス
２ａ  接続端子
３  通気性防水シート
４  クッション材
５  電気室
６  組電池
７  クッション材
８  ゴムパッキン
９  フタ
９ａ  フタ
９ｂ  ネジ形状
１０  締結用ネジ
１１ａ，１１ｂ  ケース
１１ｃ  ネジ形状
１２  通気性防水シート
１３  へこみ部分
１４ａ，１４ｂ  接続端子
【図１】
2005203270.tif 000003
【図２】
2005203270.tif 000004
【図３】
2005203270.tif 000005
【図４】
2005203270.tif 000006
【図５】
2005203270.tif 000007
【図６】
2005203270.tif 000008
【図７】
2005203270.tif 000009
【図８】
2005203270.tif 000010
【図９】
2005203270.tif 000011
【図１０】
2005203270.tif 000012
【図１１】
2005203270.tif 000013
【図１２】
2005203270.tif 000014